(57)【特許請求の範囲】
【請求項１】
車体（１）に左右一対の前輪（２）及び後輪（３）を設け、車体（１）上の前部に操作ボックス（４）及びステアリングハンドル（５）を設け、該ステアリングハンドル（５）の後側に運転席（９）を設け、変速装置（２３）を操作して機体の前後進切替を行う変速レバー（４０）を設け、車体（１）の後方部に昇降リンク機構（７）を介して苗植付部（６）を昇降可能に装備した田植機において、該変速レバー（４０）の操作経路（４１）を左右方向に延びる前後進中立経路（４１Ｎ）と、前後進中立経路（４１Ｎ）に交差して接続される前進経路（４１Ｆ）及び後進経路（４１Ｒ）とで構成し、前進経路（４１Ｆ）と後進経路（４１Ｒ）とを前後進中立経路（４１Ｎ）に交差する位置を異ならせてクランク状に構成し、前後進中立経路（４１Ｎ）の側端部で且つ前後進中立経路（４１Ｎ）の後進経路（４１Ｒ）と交差する位置を越える位置にクランク状の操作経路（４１Ｆ，４１Ｎ，４１Ｒ）から左右方向に突出する延出端位置（ＮＥ）を設け、該延出端位置（ＮＥ）に前記変速レバー（４０）が操作されたことを検出する検出手段（４２）を設け、該検出手段（４２）の検出結果に基づいて苗植付部（６）を上昇させる制御手段（４４）を備え、側面視で湾曲状に形成したガイドレール（７２）に沿ってスライドするバイザー（６０）を設けたことを特徴とする田植機。
【請求項２】
車体（１）に左右一対の前輪（２）及び後輪（３）を設け、車体（１）上の前部に操作ボックス（４）及びステアリングハンドル（５）を設け、該ステアリングハンドル（５）の後側に運転席（９）を設け、変速装置（２３）を操作して機体の前後進切替を行う変速レバー（４０）を設け、車体（１）の後方部に昇降リンク機構（７）を介して苗植付部（６）を昇降可能に装備した田植機において、該変速レバー（４０）の操作経路（４１）を左右方向に延びる前後進中立経路（４１Ｎ）と、前後進中立経路（４１Ｎ）に交差して接続される前進経路（４１Ｆ）及び後進経路（４１Ｒ）とで構成し、前進経路（４１Ｆ）と後進経路（４１Ｒ）とを前後進中立経路（４１Ｎ）に交差する位置を異ならせてクランク状に構成し、前後進中立経路（４１Ｎ）の側端部で且つ前後進中立経路（４１Ｎ）の後進経路（４１Ｒ）と交差する位置を越える位置にクランク状の操作経路（４１Ｆ，４１Ｎ，４１Ｒ）から左右方向に突出する延出端位置（ＮＥ）を設け、該延出端位置（ＮＥ）に前記変速レバー（４０）が操作されたことを検出する検出手段（４２）を設け、該検出手段（４２）の検出結果に基づいて苗植付部（６）を上昇させる制御手段（４４）を備え、センターマスコットランプ（７５ａ）を設けたセンターマスコットランプ支柱（７５）を設け、バイザー（６０）を、センターマスコットランプ支柱（７５）から上方に延出した前側の支柱と、左右に設けた後側の支柱（７４）で支持したことを特徴とする田植機。
【請求項３】
バイザー（６０）を中央のセンターバイザー（６０ａ）と両サイドのサイドバイザー（６０ｂ）で構成し、センターバイザー（６０ａ）を有色とし、両サイドのサイドバイザー（６０ｂ）を半透明に構成したことを特徴とする請求項１または請求項２記載の田植機。
【請求項４】
基部アーム（５５）に対して２つの位置に取り付けできる苗取調節レバー（５４）を設けたことを特徴とする請求項３記載の田植機。
【発明の詳細な説明】
【技術分野】
【０００１】
この発明は、田植機に関するものである。
【背景技術】
【０００２】
従来、特許文献１に示されているように、変速レバーの前後進操作を案内するガイド溝は、クランク状のパターンになっていて、中央部の左右方向の部分が中立ガイド部、それより前側の前後方向の部分が前進ガイド部、後側の前後方向の部分が後進ガイド部となっている。そして、変速レバーの後進への操作で、走行車体を後進させると、作業装置が自動的に非作業位置へ上昇するようになっている。
【特許文献１】特開平１１−４６０９号公報
【発明の開示】
【発明が解決しようとする課題】
【０００３】
本発明は、変速レバーの操作における安全性を確保し、また、田植作業に適したバイザーを備えた田植機を得ることにある。
【課題を解決するための手段】
【０００４】
この発明は、上記課題を解決すべく次のような技術的手段を講じた。
すなわち、請求項１記載の本発明は、車体（１）に左右一対の前輪（２）及び後輪（３）を設け、車体（１）上の前部に操作ボックス（４）及びステアリングハンドル（５）を設け、該ステアリングハンドル（５）の後側に運転席（９）を設け、変速装置（２３）を操作して機体の前後進切替を行う変速レバー（４０）を設け、車体（１）の後方部に昇降リンク機構（７）を介して苗植付部（６）を昇降可能に装備した田植機において、該変速レバー（４０）の操作経路（４１）を左右方向に延びる前後進中立経路（４１Ｎ）と、前後進中立経路（４１Ｎ）に交差して接続される前進経路（４１Ｆ）及び後進経路（４１Ｒ）とで構成し、前進経路（４１Ｆ）と後進経路（４１Ｒ）とを前後進中立経路（４１Ｎ）に交差する位置を異ならせてクランク状に構成し、前後進中立経路（４１Ｎ）の側端部で且つ前後進中立経路（４１Ｎ）の後進経路（４１Ｒ）と交差する位置を越える位置にクランク状の操作経路（４１Ｆ，４１Ｎ，４１Ｒ）から左右方向に突出する延出端位置（ＮＥ）を設け、該延出端位置（ＮＥ）に前記変速レバー（４０）が操作されたことを検出する検出手段（４２）を設け、該検出手段（４２）の検出結果に基づいて苗植付部（６）を上昇させる制御手段（４４）を備え、側面視で湾曲状に形成したガイドレール（７２）に沿ってスライドするバイザー（６０）を設けたことを特徴とする田植機としたものである。
【０００５】
また、請求項２記載の本発明は、車体（１）に左右一対の前輪（２）及び後輪（３）を設け、車体（１）上の前部に操作ボックス（４）及びステアリングハンドル（５）を設け、該ステアリングハンドル（５）の後側に運転席（９）を設け、変速装置（２３）を操作して機体の前後進切替を行う変速レバー（４０）を設け、車体（１）の後方部に昇降リンク機構（７）を介して苗植付部（６）を昇降可能に装備した田植機において、該変速レバー（４０）の操作経路（４１）を左右方向に延びる前後進中立経路（４１Ｎ）と、前後進中立経路（４１Ｎ）に交差して接続される前進経路（４１Ｆ）及び後進経路（４１Ｒ）とで構成し、前進経路（４１Ｆ）と後進経路（４１Ｒ）とを前後進中立経路（４１Ｎ）に交差する位置を異ならせてクランク状に構成し、前後進中立経路（４１Ｎ）の側端部で且つ前後進中立経路（４１Ｎ）の後進経路（４１Ｒ）と交差する位置を越える位置にクランク状の操作経路（４１Ｆ，４１Ｎ，４１Ｒ）から左右方向に突出する延出端位置（ＮＥ）を設け、該延出端位置（ＮＥ）に前記変速レバー（４０）が操作されたことを検出する検出手段（４２）を設け、該検出手段（４２）の検出結果に基づいて苗植付部（６）を上昇させる制御手段（４４）を備え、センターマスコットランプ（７５ａ）を設けたセンターマスコットランプ支柱（７５）を設け、バイザー（６０）を、センターマスコットランプ支柱（７５）から上方に延出した前側の支柱と、左右に設けた後側の支柱（７４）で支持したことを特徴とする田植機としたものである。
【０００６】
また、請求項３記載の本発明は、バイザー（６０）を中央のセンターバイザー（６０ａ）と両サイドのサイドバイザー（６０ｂ）で構成し、センターバイザー（６０ａ）を有色とし、両サイドのサイドバイザー（６０ｂ）を半透明に構成したことを特徴とする請求項１または請求項２記載の田植機としたものである。  また、請求項４記載の本発明は、基部アーム（５５）に対して２つの位置に取り付けできる苗取調節レバー（５４）を設けたことを特徴とする請求項３記載の田植機としたものである。
【発明の効果】
【０００７】
請求項１及び請求項２に係る発明によると、苗植付部６が自動的に下降状態から上方の非作業位置まで上昇するので、後進操作前に苗植付部６を確実に上昇させることができ、苗植付部６のひきづりを防止でき、安全性を確保することができる。また、検出手段４２が検出する延出端位置ＮＥまで変速レバー４０を操作しなければ、苗植付部６を上昇させずに後進することもでき、畦際や倉庫内で有効である。
【０００８】
更に、請求項１に係る発明によると、雨天の移動時、前からの風の影響を受けるときなどには、前からあたる雨を避けるためにバイザー６０の位置をずらせながら該バイザー６０を傾斜させることができ、雨よけ効果が大きいものとなる。
【０００９】
一方、請求項２に係る発明によると、バイザー６０をセンターマスコットランプ支柱７５で支持することにより、コストダウン及び軽量化が図れる。しかも、ステップ上に余計な支柱がなくなるため、ステップ上が広く開放でき、ステップの乗り降りが楽になる。
【００１０】
従って、請求項１及び請求項２に係る発明によると、変速レバー４０の操作における安全性を確保し、また、田植作業に適したバイザー６０を備えた田植機を得ることができ、簡潔な構成で発明の課題を解消することができる。
【００１１】
請求項３に係る発明によると、請求項１及び請求項２に係る発明の効果に加えて、日よけのため中央は有色で、運転席が暗くならないように両サイドは半透明とすることで明りが入り易く、良好である。
【００１２】
請求項４に係る発明によると、請求項３に係る発明の効果に加えて、苗取調節レバー５４を基部アーム５５に対して２つの位置に取り付けでき、同一のレバーガイド５６でガイド長を長くすることなく苗取量２１ｍｍまでと苗取量１８ｍｍまでの２種類の調節レンジに対応することができる。
【発明を実施するための最良の形態】
【００１３】
この発明の実施例を図面に基づき説明する。
図１、図２及び図３は、農作業機の一例として６条植田植機を示すものであり、車体１の前後には走行車輪としての左右一対の前輪２，２及び後輪３，３が架設されている。車体上前部には上面に操作パネル４ａを有する操作ボックス４及びステアリングハンドル５等を有する操縦装置が設置され、また、車体後方部には農作業装置の一例である苗植付部６が昇降可能に装備されている。操縦装置の後側に運転席９が設置され、運転席の下側に田植機の各部に動力を伝達するエンジンＥが搭載されている。
【００１４】
前記ステアリングハンドル５は、これの回動操作によりステアリング軸から減速回転される出力軸、ピットマンアーム１７及び操向ロッド１８等を介して左右の前輪２，２を操向させ操舵するようになっている。
【００１５】
苗植付部６は、車体の後部に昇降リンク機構７を介して昇降可能に装着され、昇降用油圧シリンダ８の伸縮作動により昇降する構成としている。昇降用油圧シリンダ８は昇降用電磁油圧バルブ１０によって伸縮制御される。
【００１６】
また、この苗植付部６には、左右に往復動する苗載タンク１１、１株分の苗を切取って土中に植込む植込杆１２を有する２条分植付装置１３，１３…、苗植付面を滑走しながら整地するフロート（サイドフロート）１４，１４、センタフロート１４Ｓ等を備えている。
【００１７】
エンジンＥの回転動力は、ベルト伝動装置３１を介して油圧式無段変速装置（ＨＳＴ）２３の入力軸３５に伝えられ、ＨＳＴ２３の出力軸３６からベルト３２を介してミッションケース２４のミッション入力軸３４に伝えられるようになっている。また、ＨＳＴ２３からベルト３３を介して油圧ポンプ２２を駆動するようになっている。
【００１８】
なお、前記前輪２，２は、ミッションケース２４の側方に変向可能に設けた前輪支持ケース２５，２５に軸支され、後輪３，３は、ローリング支持杆２６の左右両端部に取り付けた後輪支持ケース２７，２７に軸支され、前記ミッションケース２４内のミッション装置から後輪伝動軸３８を介して動力伝達されるようになっている。ローリング支持杆２６は、左右のメインフレーム２８，２８の後端を繋ぐ横フレーム２８ａに軸受保持されたローリング軸２９に左右傾動自在に軸支されている。
【００１９】
操作ボックス４の横側部には変速操作可能な操作レバー（変速レバー）４０が配置され、この操作レバー４０の前後方向の操作で変速装置（ＨＳＴ）２３を駆動し機体の前進及び後進制御を司るように構成されている。変速レバーの前後進操作を案内するガイド溝は、クランク状のパターンになっていて、中央部の左右方向の部分が中立ガイド部、それより前側の前後方向の部分が前進ガイド部、後側の前後方向の部分が後進ガイド部となっている。前後進切替可能な操作レバーの操作経路４１は、左右横方向に延びる前後進中立経路４１Ｎと、前後進中立経路４１Ｎに交差して接続される前進経路４１Ｆ及び後進経路４１Ｒとを備え、前進経路４１Ｆと後進経路４１Ｒとが前後進中立経路４１Ｎに交差する位置を異ならせてクランク状に形成されてあり、そして、この前後進中立経路４１Ｎの後進経路４１Ｒ側端部は、後進経路４１Ｒと交差する位置を越える位置にまで延出されてあり、そして、この延出端位置ＮＥ部には前記操作レバー４０が操作されたことを検出する検出スイッチ４２が設けられ、この検出スイッチ４２の検出結果に基づき、制御部４３の農作業装置上昇手段４４により昇降用電磁油圧バルブ１０を制御して昇降用油圧シリンダ８にて苗植付部６（農作業装置）を非作業位置まで上昇させるように構成されている。
【００２０】
図５に示す実施例は、植付部ローリング軸４６に対し、植付部下げ時はローリング自在とし、植付部最上げ時のみロックプレート４７にてローリングをロックする構成としている。つまり、昇降リンク機構７のアッパーリンク７ａとロワリンク７ｂの基部を枢着連結する連結フレーム４８に対し、ロックプレート４７のアッパー側は、アッパーリンク７ａ側に設けた前後方向の前後長孔４９を介してアッパーピン５０にて連結し、ロックプレート４７のアンダー側は、該ロックプレート４７側に設けた上下方向の長孔５１を介してロワリンク７ｂにアンダーピン５２にて連結している。従って、上記構成によれば、苗植付部を最上げ状態に上昇させると、苗植付部のローリング状態がロックされ、苗載タンクがオペレータ側に傾いて苗補給口が近づくため、苗補給が容易となる。しかも、ローリングがロックされているため、苗載タンク両サイドのオペレータから遠い側にあっても苗補給がしやすくなる。
【００２１】
苗取量を従来の８〜１８ｍｍに追加して２１ｍｍまで取ろうとするとレバーガイド長が長くなり過ぎ、可成のスペースを必要とする。そこで、マット苗と紙ポット苗との苗取り調節を同一構成で行うためには、図６に示すように、苗取調節レバー５４を基部アーム５５に対しＡ１，Ａ２〜Ｂ１，Ｂ２の２つの位置に取付けできるようにしておけば、同一のレバーガイド５６で、ガイド長を長くすることなく取量２１ｍｍまでと１８ｍｍまでの２つに対応することができる。
【００２２】
図１及び図２に示すように、レインバイザー６０において、中央のバイザー（センターバイザー）６０ａは白色（有色）で、両サイドのバイザー（サイドバイザー）６０ｂは半透明に構成しておくとよい。日よけのためには中央は有色が良く、運転席が暗くならないよう、両サイドは半透明とすることで明りが入り易く良好である。
【００２３】
また、バイザー６０は、図７に示すように、支柱６１とバイザー６０とを４点で結んだ平行リンク６２，６２によって任意に高さ調整ができるようになっている。平行リンク６２，６２はラチエット機構６３によって角度調節を行い、ノブボルト６４によって締付固定する構成としている。
【００２４】
図８及び図９に示す実施例では、走行・植付を停止すると、バイザー６０が自動的に上昇して所定位置で停止するようにしている。例えば、図９に示すように、植付スイッチ６６がＯＦＦで、変速レバーセンサ６７の中立位置検出結果に基づき、制御部６８のバイザー上昇手段によりバイザー昇降モータ６９を制御して螺旋軸７０を駆動しバイザーを自動上昇させる。バイザーが所定位置まで上昇するとストロークセンサ７１の検出によって停止するようになっている。この手段を採用すれば、苗補給をする時に便利である。なお、植付走行時には、バイザーは所定の高さにまで戻るように構成することもできる。
【００２５】
図１０及び図１１に示す実施例は、Ｃ鋼を利用したガイドレール７２，７２を左右に配置すると共に、これを側面視で湾曲状に形成し、バイザー６０をガイドレール７２，７２に沿ってスライド自在に構成している。バイザーの案内突子７３はガイドレールのＣ鋼溝内に沿ってガイドされる。雨天の移動時、前からの風の影響を受けるときなどには、前からあたる雨を避けるためにバイザーを図１０の実線位置から仮想線の状態位置にずらして傾斜させることができ、雨よけ効果が大きいものとなる。
【００２６】
また、図１２に示す実施例のサンバイザー６０は、後側を左右の支柱７４，７４で支持し、前側の支柱をセンターマスコットランプ支柱７５を利用しこれを上方に延出して共用させた構成としている。センターマスコットランプ支柱７５にはマスコットランプ７５ａが設けられている。なお、センターマスコットランプ支柱７５に代えて畦越えアーム７６を延出させて共用する構成であってもよい。
【００２７】
要するに、前側の支柱をセンターマスコットランプ支柱で共用することにより、コストダウン、軽量化を図ることができる。また、ステップ上に余計な支柱がなくなるため、ステップの乗り降りが楽になり、ステップ上が広く開放できる。
【図面の簡単な説明】
【００２８】
【図１】田植機の側面図
【図２】田植機の平面図
【図３】同上要部の平面図
【図４】制御ブロック回路図
【図５】（イ）上げ時のローリングロック状態側面図及び（ロ）下げ時のローリングロック解除状態側面図
【図６】苗取調節レバーの取付位置変更状態を示す側面図
【図７】バイザーの高さ調節手段を備えた側面図
【図８】バイザーの自動上昇手段を備えた側面図
【図９】制御ブロック回路図
【図１０】バイザー付トラクタ要部の側面図
【図１１】バイザー要部の正断面図
【図１２】バイザー付トラクタの斜視図
【符号の説明】
【００２９】
１    走行車体（車体）              ６    苗植付部（農作業装置）
４０    変速レバー（操作レバー）    ４１    操作経路
４１Ｆ  前進経路                    ４１Ｒ  後進経路
４１Ｎ  前後進中立経路              ４２    検出手段
４３    制御部                      ４４    農作業装置上昇手段
ＮＥ    延出端位置
【図１】
0004872980.tif 000002
【図２】
0004872980.tif 000003
【図３】
0004872980.tif 000004
【図４】
0004872980.tif 000005
【図５】
0004872980.tif 000006
【図６】
0004872980.tif 000007
【図７】
0004872980.tif 000008
【図８】
0004872980.tif 000009
【図９】
0004872980.tif 000010
【図１０】
0004872980.tif 000011
【図１１】
0004872980.tif 000012
【図１２】
0004872980.tif 000013